(57)【要約】  【課題】  簡便に取り付けができる固定具を提供する。  【解決手段】  固定具１は、樹脂製の樹脂部材３と、金属製の金属部材５と、からなる。樹脂部材３を金属部材５のフランジ４３の間の開口に挿入すると、拡張部４５が外側に押し広げられる。固定具１の取付対象物１０１への取り付ける方法としては、金属部材５のみを先に取付穴１０５に挿入してその後に樹脂部材３を挿入する方法と、拡張部４５が大きく広がらない、挿入度合の低い第１の挿入状態において取付穴１０５に挿入する方法とがあり、いずれも差し込むだけで固定が可能となる。【選択図】図６
2014122687.tif 000002
【特許請求の範囲】
【請求項１】
被固定部材と連結する連結部と、柱状の挿入部と、を有する第１部材と、
拡張部を有し、前記挿入部が挿入可能な開口が形成され、前記挿入部が前記開口へ挿入された際に前記挿入部により前記拡張部が外側へ押し広げられる金属製の第２部材と、を備える
ことを特徴とする固定具。
【請求項２】
前記第２部材は略筒状形状であって、前記拡張部は前記第２部材の側面に形成された外側に変形可能な舌片状の部材であり、
前記挿入部は、前記開口へ挿入された状態において前記拡張部を外側に押圧する突起部が形成されている
ことを特徴とする請求項１に記載の固定具。
【請求項３】
前記第２部材は、環状の形状であり、
前記挿入部は、前記第２部材を外嵌可能な溝部が形成されている
ことを特徴とする請求項１に記載の固定具。
【発明の詳細な説明】
【技術分野】
【０００１】
本発明は、２つの部品を固定する固定具に関する。
【背景技術】
【０００２】
車両のエンジンルーム内には、エンジンなどの騒音源からの放射音を遮音するために、板金製あるいは硬質樹脂製のエンジンカバー，サイドカバー，オイルパンカバー，アンダーカバーなどが配置されている。例えばエンジンカバーは、エンジンブロックの頂部に固定され、エンジンからの放射音を遮音するとともに、エンジンルーム内の見映えを向上させる機能も有している。
【０００３】
エンジンカバーを取り付ける際に一般的なボルトを用いると、ボルトの頭部がカバー本体の一部に表出し、その分見映えが悪いという問題がある。また工具を回動させるスペースが狭い場合も多く、取付作業性に支障が生じる場合もある。そこで従来、エンジンカバーを簡便に取り付けることができる固定具として、球状の頭部を有する樹脂部品と、螺子部を有する金属部品と、が一体成形された金属−樹脂複合ボルトが提案されている（特許文献１参照）。
【先行技術文献】
【特許文献】
【０００４】
【特許文献１】特開２００５−２４０９６８号公報
【発明の概要】
【発明が解決しようとする課題】
【０００５】
しかしながら、上記金属−樹脂複合ボルトでは、螺子部をエンジンブロックに固定するためには相手側にナットを固定しておいたり螺子穴を形成して螺子締めを行う必要があり、取り付けに手間が掛り工数が多くなる場合があった。
【０００６】
本発明の目的は、簡便に取り付けができる固定具を提供することである。
【課題を解決するための手段】
【０００７】
上述した問題を解決するためになされた請求項１に記載の発明は、第１部材と金属製の第２部材とからなる固定具である。第１部材は、被固定部材と連結する連結部と、柱状の挿入部と、を有するものであって、樹脂や金属など様々な材料にて作製することができる。第２部材は拡張部を有し、上記挿入部が挿入可能な開口が形成され、上記挿入部が開口へ挿入された際に上記挿入部により拡張部が外側へ押し広げられることを特徴とする。
【０００８】
このように構成された固定具を用いると、上記被固定部材（Ａ）を他の取付対象物（Ｂ）に固定することができる。具体的には、第１部材の挿入部を第２部材の開口に挿入した状態において、被固定部材（Ａ）に対しては連結部が連結し、拡張部および挿入部が挿入可能な挿入穴や挿入溝が形成された取付対象物（Ｂ）に対しては拡張部が係止することで上記固定が実現される。拡張部は挿入部によって外側へ押し広げられているため、拡張部と取付対象物（Ｂ）との係止は強固なものとなる。また拡張部は金属製であるから係止が強固なものとなる。
【０００９】
そしてこのような固定具は、螺子締め作業が必要なく、簡便に取り付けることができる。具体的な固定具の取付対象物（Ｂ）への取り付け方法としては、例えば先に拡張部を取付対象物（Ｂ）の挿入穴などに挿入した後に挿入部を第２部材の開口に挿入することや、予め開口に挿入部を挿入した状態で拡張部を挿入穴などに挿入することが考えられる。いずれにしても取付対象物に差し込むだけでよく簡便に作業できる。
【００１０】
なお、連結部と被固定部材（Ａ）との連結構造は特に限定されず、様々な構造を採用することができる。例えば連結部の先端を球状体に形成しておき、球状体を被固定部材（Ａ）に形成された嵌合孔に挿入して嵌合させる構成が考えられる。
【００１１】
ところで、第１部材は樹脂材料や金属材料などを用いることができるが、樹脂材料としては、一例として、ポリアミド、ポリカーボネート、ポリフェニレンエーテル、ポリブチレンテレフタレート、ポリメチルペンテン、シンジオタクチック・ポリスチレン、ポリサルフォン、ポリエーテルサルホン、ポリフタルアミド、ポリフェニレンサルファイド、ポリシクロヘキシレンジメチレンテレフタレート、ポリアリレート、ポリエーテルイミド、ポリエーテルエーテルケトン、熱可塑性ポリイミド、液晶ポリマー、フッ素樹脂、ポリエーテルニトリル、ポリエチレンテレフタレート、変性ポリフェニレンエーテル、ポリアミドイミド、ポリエチレン、ポリプロピレン、ポリ塩化ビニル、ポリスチレン、アクリロニトリルブタジエンスチレン共重合体、アクリロニトリルスチレン共重合体、ポリメタクリル酸メチル、塩素化ポリエチレン、エチレン酢酸ビニル共重合体、フェノール樹脂、ユリア樹脂、メラミン樹脂、エポキシ樹脂、及びポリウレタン等から選ばれる１種又は２種以上、もしくはこれらの共重合体を用いることができる。
【００１２】
また第２部材を構成する金属材料としては、一例として、ベリリウム銅、黄銅、チタン銅、リン青銅、スズ−ニッケル合金、ステンレス鋼等を用いることができる。第１部材を金属材料にて構成する場合にも上述した金属を用いることができる。
【００１３】
請求項２に記載の発明は、請求項１に記載の固定具において、第２部材が略筒状形状であって、拡張部は前記第２部材の側面に形成された外側に変形可能な舌片状の部材であり、挿入部には、上記開口へ挿入された状態において上記拡張部を外側に押圧する突起部が形成されていることを特徴とする。
【００１４】
このように構成された固定具は、挿入部を開口に挿入すると、突起部によって拡張部が外側に押圧される。挿入部における拡張部を外側に押圧する力は突起部に集中しており、また拡張部が舌片状であるため、上記押圧力を受けて外側に大きく変形する。よって、大きな力を受けた拡張部と取付対象物（Ｂ）との係止力が高まり、固定具と取付対象物（Ｂ）との係止をより強固なものとすることができる。
【００１５】
なお、挿入部が第２部材の開口から脱落してしまうことを抑制するために、第１部材と第２部材とが係止するように構成してもよい。更に、挿入部による拡張部の拡張度合が相対的に低くなる第１の挿入状態と、拡張部の拡張度合が高くなる第２の挿入状態と、においてそれぞれ係止可能とし、第１の挿入状態から第２の挿入状態へ遷移する方向にのみ挿入部の挿入操作が可能となるように構成してもよい。
【００１６】
このように構成することで、第１の挿入状態においては挿入部の脱落を抑制でき、かつ拡張部の拡張度合が小さいため取付対象物（Ｂ）への取り付けを容易なものとすることができる。
【００１７】
請求項３に記載の発明は、請求項１に記載の固定具において、第２部材が環状の形状であり、挿入部には第２部材を外嵌可能な溝部が形成されていることを特徴とする。
このように構成された固定具は、固定具を取付対象物（Ｂ）に差し込むという簡便な操作により、固定具を強固に取付対象物（Ｂ）へ取り付けることができる。  なお、上述した環状とは、円形、多角形などの環状とすることができる。もちろんこれら以外の形状の環状であってもよい。環状の一部が欠落したものであってもよく、その場合には変形が容易になるため第１部材への取り付けを簡便に行うことができる。
【図面の簡単な説明】
【００１８】
【図１】実施例１の固定具（第２の挿入状態）を示す図であって、（Ａ）が正面図であり、（Ｂ）が左側面図であり、（Ｃ）が右側面図であり、（Ｄ）が平面図であり、（Ｅ）が底面図であり、（Ｆ）〜（Ｉ）が斜視図である。
【図２】実施例１の樹脂部材を示す図であって、（Ａ）が正面図であり、（Ｂ）が左側面図であり、（Ｃ）が平面図であり、（Ｄ）が底面図であり、（Ｅ）〜（Ｈ）が斜視図であり、（Ｉ）が（Ａ）のＢ−Ｂ断面図である。
【図３】実施例１の金属部材を示す図であって、（Ａ）が正面図であり、（Ｂ）が左側面図であり、（Ｃ）が平面図であり、（Ｄ）が底面図であり、（Ｅ）〜（Ｈ）が斜視図であり、（Ｉ）が（Ａ）のＣ−Ｃ断面図である。
【図４】実施例１の固定具（第１の挿入状態）を示す図であって、（Ａ）が正面図であり、（Ｂ）が左側面図であり、（Ｃ）が右側面図であり、（Ｄ）が平面図であり、（Ｅ）が底面図であり、（Ｆ）〜（Ｉ）が斜視図である。
【図５】（Ａ）が図４（Ａ）のＤ−Ｄ断面図であり、（Ｂ）が図１（Ａ）のＡ−Ａ断面図である。
【図６】固定具を用いた取付対象物と被固定部材との固定を説明する図である。
【図７】実施例２の固定具（第１の挿入状態）を示す図であって、（Ａ）が正面図であり、（Ｂ）が左側面図であり、（Ｃ）が右側面図であり、（Ｄ）が平面図であり、（Ｅ）が底面図であり、（Ｆ）〜（Ｉ）が斜視図である。
【図８】実施例２の樹脂部材を示す図であって、（Ａ）が正面図であり、（Ｂ）が平面図であり、（Ｃ）が底面図である。
【図９】実施例２の金属部材を示す図であって、（Ａ）が正面図であり、（Ｂ）が左側面図であり、（Ｃ）が平面図であり、（Ｄ）が底面図であり、（Ｅ）〜（Ｈ）が斜視図であり、（Ｉ）が（Ｂ）のＦ−Ｆ断面図である。
【図１０】（Ａ）が図７（Ｃ）のＥ−Ｅ断面図であり、（Ｂ）が第２の挿入状態に遷移させた状態を示す断面図である。
【図１１】実施例３の固定具を示す図であって、（Ａ）が正面図であり、（Ｂ）が左側面図であり、（Ｃ）が平面図であり、（Ｄ）が底面図であり、（Ｅ）〜（Ｈ）が斜視図であり、（Ｉ）が（Ｂ）のＨ−Ｈ断面図である。
【図１２】実施例３の樹脂部材を示す図であって、（Ａ）が正面図であり、（Ｂ）が左側面図であり、（Ｃ）が平面図であり、（Ｄ）が底面図であり、（Ｅ）〜（Ｈ）が斜視図であり、（Ｉ）が（Ｂ）のＩ−Ｉ断面図である。
【図１３】実施例３の金属部材を示す図であって、（Ａ）が正面図であり、（Ｂ）が左側面図であり、（Ｃ）が右側面図であり、（Ｄ）が背面図であり、（Ｅ）が平面図であり、（Ｆ）が底面図であり、（Ｇ）〜（Ｊ）が斜視図である。
【図１４】図１１（Ｂ）のＧ−Ｇ断面図である。
【発明を実施するための形態】
【００１９】
以下に本発明の実施例を図面と共に説明する。
［実施例１］
（１）全体構成
本実施例の固定具１は、図１に示すように、樹脂製の樹脂部材３と、金属製の金属部材５と、からなる。以降の説明においては各部の相対的な位置関係を簡潔に説明するため上下等の方向を規定しているが、これらの方向はあくまでも各部の相対的な位置関係を示すための定義にすぎず、固定具１、樹脂部材３、および金属部材５を使用する際の取り付け方向などを規定するものではない。
【００２０】
樹脂部材３を図２に基づいて説明する。樹脂部材３は前後及び左右が対称である。この樹脂部材３が、本発明における第１部材の一例である。
樹脂部材３は、上から順に、球状の頭部１１、円柱状の首部１３、張出部１５、挿入部１７が連続した形状となっている。
【００２１】
頭部１１および首部１３は連結部を構成し、後述する被固定部材との連結に利用される。
挿入部１７は上下方向に延びる円柱状である。挿入部１７の側面には、下方側に凹部２１が形成され、凹部２１より上方に突起部２３が形成されている。凹部２１は挿入部１７の軸を基準として互いに反対側となる２箇所に配置されており、突起部２３は挿入部１７の周方向に６つ並んで配置されている。
【００２２】
凹部２１は、上下方向に間隔を空けた２箇所に、上方向を向く係止面２５、２７が形成されている。係止面２７が上側に位置しており、係止面２５よりも広く（挿入部１７の中心方向に深く）形成されている。
【００２３】
また、挿入部１７の外周には張出部１５から下方向に延びる凸条部３１が挿入部１７の軸を基準として互いに反対側となる２箇所に形成されている。
次に、金属部材５を図３に基づいて説明する。金属部材５は前後及び左右が対称である。この金属部材５が、本発明における第２部材の一例である。
【００２４】
金属部材５は全体として略筒状形状であって、上端から下端近くまで延びる一対のスリット４１によって下端が連結した状態で半割筒体５ａ、５ｂの２つに分けられている。
半割筒体５ａ、５ｂの上端には、上下方向と交差する方向に広がるフランジ４３が設けられている。フランジ４３は上面視で略リング状であり、その中心に開口が形成される。この開口には挿入部１７が挿入可である。半割筒体５ａ、５ｂそれぞれには、３つの拡張部４５と舌片４７とが形成されている。
【００２５】
拡張部４５は、半割筒体５ａ、５ｂの側面の一部を略コの字状に切り取って（抜き加工して）形成された上下方向に長さを有する舌片状の部分であり、先端が上方向を向いている。拡張部４５は先端が外側に傾斜しており、また内外方向に弾性変形可能となっている。拡張部４５の周囲の切り取られた部分は貫通孔４６となっている。
【００２６】
舌片４７は拡張部４５より下方に形成されるものであって、半割筒体５ａ、５ｂの側面の一部をコの字状に切り取って（スリット加工して）形成された上下方向に長さを有する舌片状の部分であり、先端が下方向を向いている。舌片４７は先端が内側に傾斜しており、また内外方向に弾性変形可能となっている。
【００２７】
なお、拡張部４５は突起部２３に対応する位置に形成されており、舌片４７は凹部２１に対応する位置に形成されている。
次に、樹脂部材３と金属部材５とを組み付けた状態について説明する。図１および図４は、挿入部１７をフランジ４３の間の開口に挿入した状態を示している。図４が挿入度合の低い第１の挿入状態であり、図１が挿入度合の高い第２の挿入状態である。
【００２８】
図５（Ａ）に第１の挿入状態の断面図（図４（Ａ）のＤ−Ｄ断面図）を示す。この状態において挿入部１７をフランジ４３の間の開口から引き抜こうとすると、突起部２３と貫通孔４６の上側の壁面とが係止し、また係止面２５と舌片４７の下端とが係止するため、その引き抜きが抑制される。このとき、拡張部４５は大きくは外側に押圧されていない。
【００２９】
第１の挿入状態においては挿入部１７を深く挿入することは制限されていないので、手などで挿入部１７を押し込めば、図１（Ａ）のＡ−Ａ断面図である図５（Ｂ）に示す第２の挿入状態となる。このとき、張出部１５がフランジ４３と接触するためそれ以上深く挿入することはできない。また挿入部１７を開口から引き抜こうとすると、係止面２７と舌片４７の下端とが係止するため、その引き抜きが抑制される。即ち、第２の挿入状態からはその状態の遷移が抑制されている。
【００３０】
このとき、拡張部４５は突起部２３に押圧されて外側に大きく押し広げられる。また図１および図４に示すように、スリット４１に凸条部３１が入り込んでいるため、樹脂部材３が金属部材５に対して上下方向を軸として回転することも抑制される。また挿入部１７を挿入する際にスリット４１に凸条部３１が入り込んでガイドとしても機能するため、突起部２３が正しい位置に移動して適切に拡張部４５を押圧することができる。
【００３１】
（２）固定具を用いた取付対象物と被固定部材との固定
固定具１を用いた取付対象物１０１と被固定部材１０３との固定を、図６を用いて説明する。固定具１は取付対象物１０１に設けられた取付穴１０５に取り付けられる。このとき、拡張部４５が外側に広がって取付穴１０５の内壁面と強固に係止するため固定具１が取付対象物１０１から取り外されることが抑制される。
【００３２】
固定具１の取付対象物１０１への取り付け方法は特に限定されないが、金属部材５のみを先に取付穴１０５に挿入してその後に樹脂部材３を挿入する方法や、上述した第１の挿入状態において取付穴１０５に挿入する方法であれば、拡張部４５が大きく広がらない状態で挿入できるため都合がよい。
【００３３】
被固定部材１０３は頭部１１と係合する被係合部１０７が設けられており、これらを係合させることで固定具１と被固定部材１０３とが連結する。このようにして、取付対象物１０１と被固定部材１０３との固定が実現される。
【００３４】
（３）効果
本実施例の固定具１は、取付対象物１０１に取り付ける際に固定具１を取付穴１０５に差し込むだけでよく、非常に簡便に取り付けができる。また突起部２３が強く拡張部４５を外側に押圧するため、拡張部４５が外側に広がって取付穴１０５の内壁面と強固に係止できる。
【００３５】
また、突起部２３が大きくは広がらない第１の挿入状態として、樹脂部材３が金属部材５から引き抜くことを抑制できるため、樹脂部材３と金属部材５とを一体として取り扱うことができ都合がよい。
【００３６】
なお、上述した凹部２１、突起部２３、及びそれらに対応する舌片４７、拡張部４５、の配置や設けられる数はあくまで一例であり、上述した以外の配置や数であってもよい。例えば凹部２１と突起部２３の上下関係（舌片４７と拡張部４５の上下関係）が逆であってもよい。
【００３７】
ところで金属部材５は、平板に深しぼりを行い筒状にしたのち拡張部４５や舌片４７などの凹凸を形成する加工方法でも良いし、平板の状態で断面視が略Ｌ型になるようにフランジ４３を折り曲げると共に平板に拡張部４５や舌片４７などの凹凸をあらかじめ形成したのちに、筒状になるようにする加工方法でも良い。なお略筒状形状の一部が離れて断面が略Ｃ字のようになっても同様に機能する。
【００３８】
［実施例２］
（１）全体構成
本実施例の固定具５１は、図７に示すように、樹脂製の樹脂部材５３と、金属製の金属部材５５と、からなる。以降の説明においては、各部の相対的な位置関係を簡潔に説明するため上下等の方向を規定しているが、これらの方向はあくまでも各部の相対的な位置関係を示すための定義にすぎず、固定具５１、樹脂部材５３、および金属部材５５を使用する際の取り付け方向などを規定するものではない。
【００３９】
樹脂部材５３を図８に基づいて説明する。なお樹脂部材５３は前後および左右が対称である。この樹脂部材５３が、本発明における第１部材の一例である。
樹脂部材５３は、上から順に、球状の頭部６１、円柱状の首部６３、張出部６５、挿入部６７、が連続した形状となっている。
【００４０】
頭部６１および首部６３は実施例１の頭部１１および首部１３と同様の構成であって、被固定部材と連結する連結部を構成する。挿入部６７は上下方向に延びる円柱状である。挿入部１７の下端付近には、周方向に連続して延びる周溝６９が形成されている。
【００４１】
次に、金属部材５５を図９に基づいて説明する。金属部材５５は前後及び左右が対称である。この金属部材５５が、本発明における第２部材の一例である。
金属部材５の上端には、上面視が略リング状で中心に開口が形成されたフランジ７１が設けられている。フランジ７１の下面からは、下方向に延び出す一対の拡張部７３が設けられている。
【００４２】
拡張部７３は円筒を軸方向に沿って割った形状であり、２つの拡張部７３によって全体として略円筒状となる。拡張部７３の側面には複数（本実施例においては６つ）の爪部７５が形成されている。爪部７５は拡張部７３の一部をコの字状に切り取って（スリット加工して）形成された上下方向に長さを有する舌片状の部分であり、先端が上方向を向いている。爪部７５は先端が外側に傾斜しており、また内外方向に弾性変形可能となっている。拡張部７３の下端７３ａは小さく窄んで中心側に寄っている。
【００４３】
次に、樹脂部材５３と金属部材５５とを組み付けた状態について説明する。図７は、挿入部６７をフランジ７１の間の開口に挿入した状態を示している。また図７は挿入度合の低い第１の挿入状態である。
【００４４】
図１０（Ａ）に第１の挿入状態の断面図（図７（Ｃ）のＥ−Ｅ断面図）を示す。この状態においては拡張部７３は大きくは外側に押圧されていない。ここから手などで樹脂部材５３を押し込めば、図１０（Ｂ）に示す挿入度合の高い第２の挿入状態となる。このとき、拡張部７３が外側に大きく開き、取付対象物１０１と係止する。また、周溝６９に下端部７３ａが入り込むため、挿入部６７を開口から引き抜こうとしても周溝６９を構成する壁面が下端部７３ａと係止してその引き抜きが抑制される。
【００４５】
固定具５１の取付対象物１０１への取り付け方法は特に限定されないが、金属部材５５のみを先に取付穴１０５に挿入してその後に樹脂部材５３を挿入する方法や、上述した第１の挿入状態において取付穴１０５に挿入する方法であれば、拡張部７３が大きく広がらない状態で挿入できるため都合がよい。
【００４６】
（２）効果
本実施例の固定具５１は、取付対象物１０１に取り付ける際に固定具５１を取付穴１０５に差し込むだけでよく、非常に簡便に取り付けることができる。
【００４７】
［実施例３］
（１）全体構成
本実施例の固定具８１は、図１１に示すように、樹脂製の樹脂部材８３と、金属製の金属部材８５と、からなる。以降の説明においては、各部の相対的な位置関係を簡潔に説明するため上下等の方向を規定しているが、これらの方向はあくまでも各部の相対的な位置関係を示すための定義にすぎず、固定具８１、樹脂部材８３、および金属部材８５を使用する際の取り付け方向などを規定するものではない。
【００４８】
樹脂部材８３を図１２に基づいて説明する。なお樹脂部材８３は、後述する深溝部９９ａが設けられている以外、上下方向と交差する側方から見た形状は同一である。この樹脂部材８３が、本発明における第１部材の一例である。
【００４９】
樹脂部材８３は、上から順に、球状の頭部９１、円柱状の首部９３、張出部９５、挿入部９７、が連続した形状となっている。
頭部９１および首部９３は実施例１の頭部１１および首部１３と同様の構成であって、被固定部材と連結する連結部を構成する。
【００５０】
挿入部９７は上下方向に延びる円柱状である。上下方向に間隔を空けた３箇所に、周方向に連続して延びる溝部９９が形成されている。この溝部９９には金属部材８５が外嵌可能に形成されている。各溝部９９の一部には、溝部９９の他の部分よりも深い深溝部９９ａが形成されている。
【００５１】
次に、金属部材８５を図１３に基づいて説明する。金属部材８５は、一部が欠落して開放部８７として開放されたリング状の形状であり、上方ほど外径が大きくなるように形成されている。金属部材８５の開放部８７を形成する端部の一方には、内側方向に突出する突出部８９が形成されている。この金属部材８５が、本発明における第２部材の一例である。
【００５２】
次に、樹脂部材８３と金属部材８５とを組み付けた状態について説明する。図１１は挿入部９７の溝部９９に金属部材８５を外から嵌めた状態を示している。図１１（Ｉ）に示すように、深溝部９９ａには突出部８９が挿入されているため、金属部材８５の移動は抑制される。金属部材８５は、樹脂部材８３に取り付けられた状態において、取り付けられる前よりも外側に押し広げられている。
【００５３】
図１４に固定具８１を取付対象物１０１に取り付けた状態を示す。金属部材８５が取付対象物１０１と係止する。固定具８１は、樹脂部材８３と金属部材８５とを組み付けた状態で取付穴１０５に挿入する。樹脂部材８３は弾性力によって金属部材８５を外側に押し出し、取付穴１０５に強固に係止する。
【００５４】
（２）効果
本実施例の固定具８１は、取付対象物１０１に取り付ける際に固定具８１を取付穴１０５に差し込むだけでよく、非常に簡便に取り付けることができる。
【００５５】
なお金属部材８５としてリング状であるものを例示したが、多角形やその他の環状形としてもよく、その場合には樹脂部材８３の溝部９９をその金属部材の形状に合せて形成するとよい。また金属部材８５は一部が開放された形状である構成を例示したが、開放されていない形状であってもよい。
【００５６】
また、金属部材８５は樹脂部材８３に３つ取り付けられる構成を例示したが、３つ以外であってもよく、要求される取付対象物１０１への固定力に応じて適宜変更することができる。
【００５７】
また、深溝部９９ａに突出部８９が挿入されることで金属部材８５の移動が抑制される構成を例示したが、金属部材の移動を抑制する必要がない場合や積極的に移動させたい場合などは、深溝部９９ａ及び突出部８９を設けない構成としてもよい。
【００５８】
［変形例］
以上、本発明の実施例について説明したが、本発明は、上記実施例に何ら限定されることはなく、本発明の技術的範囲に属する限り種々の形態をとり得ることはいうまでもない。
【００５９】
例えば、上記各実施例においては、第１部材の一例として樹脂製の樹脂部材３，５３，８３を例示したが、これらは金属やその他の材料で形成されていてもよい。
また上記各実施例においては、球状の頭部１１と被固定部材１０３の被係合部１０７とが係合することで固定具と被固定部材１０３とを連結させる構成を例示したが、頭部１１および首部１３に変えて、結束バンド状やリング状の把持部材を採用してもよい。そのような構成であれば、被固定部材（Ａ）が配線や配管であるときに、その周りを把持することで取付対象物（Ｂ）に固定することができる。また、被固定部材（Ａ）に直接挿入部を設ければ、連結部を用いずに取付対象物（Ｂ）に固定させることができる。
【符号の説明】
【００６０】
１…固定具、３…樹脂部材、５…金属部材、５ａ，５ｂ…半割筒体、１１…頭部、１３…首部、１５…張出部、１７…挿入部、２１…凹部、２３…突起部、２５…係止面、２７…係止面、３１…凸条部、４１…スリット、４３…フランジ、４５…拡張部、４６…貫通孔、４７…舌片、５１…固定具、５３…樹脂部材、５５…金属部材、６１…頭部、６３…首部、６５…張出部、６７…挿入部、６９…周溝、７１…フランジ、７３…拡張部、７３ａ…下端、７３ａ…下端部、７５…爪部、８１…固定具、８３…樹脂部材、８５…金属部材、８７…開放部、８９…突出部、９１…頭部、９３…首部、９５…張出部、９７…挿入部、９９…溝部、９９ａ…深溝部、１０１…取付対象物、１０３…被固定部材、１０５…取付穴、１０７…被係合部
【図１】
2014122687.tif 000003
【図２】
2014122687.tif 000004
【図３】
2014122687.tif 000005
【図４】
2014122687.tif 000006
【図５】
2014122687.tif 000007
【図６】
2014122687.tif 000008
【図７】
2014122687.tif 000009
【図８】
2014122687.tif 000010
【図９】
2014122687.tif 000011
【図１０】
2014122687.tif 000012
【図１１】
2014122687.tif 000013
【図１２】
2014122687.tif 000014
【図１３】
2014122687.tif 000015
【図１４】
2014122687.tif 000016